(57)【要約】      （修正有）【課題】室外の強風、油煙排気、異臭、灰塵が油煙排出機及び室内の厨房に侵入することを阻止し、屋内生活の品質及び安全性を確保する油煙排出管自動開閉装置を提供する。【解決手段】本油煙排出管自動開閉装置は、油煙排出機の油煙排出口及び油煙排出管の間に接続する。排気開閉装置は、上下に相通する２つの端口１１、１２を有する接続管１と、該接続管の管壁内縁に固定する定位部材２と、その相互の内側辺が相対して活動的に軸回転可能に接合し、接続管内部の管径に共同で適合するように設置される２対の半形状の活動係止片３１、３２とを含み、油煙排出機が通常状態で閉鎖する時、２つの活動係止片自身の重量作用により、相対して下向きに回転し、定位部材上に押しかかり、水平状の閉鎖状態を構成し、油煙排出機が油煙排ガスを強制排出するよう運転時、その風力が２つの活動係止片を押し動かし、垂直上の開放状態を構成し、油煙排ガスを接続管、油煙排出管を介して外へ排出する。【選択図】図２
0003172069.tif 000002
【実用新案登録請求の範囲】
【請求項１】
油煙排出機の油煙排出口及び油煙排出管の間に接続する油煙排出管自動開閉装置であって、該排気開閉装置は、上下に相通する２つの端口を有する接続管と、接続管の管壁内縁に固定する定位部材と、その相互の内側辺が相対して接近し、接続管内部の管径に共同で適合するように設置される２対の半形状の活動係止片と、を含み、２つの活動係止片自身の重量作用により、相対して下向きに回転し、定位部材上に押しかかり、水平状の閉鎖状態を構成し、油煙排出機が油煙排ガスを強制排出する時、その風力が２つの活動係止片を押し動かし、垂直上の開放状態を構成し、油煙排ガスを接続管、油煙排出管を介して外へ排出する油煙排出管自動開閉装置。
【請求項２】
前記２つの活動係止片の内側辺にそれぞれ２つの軸回転接合部を設け、軸は、横向きに２つの活動係止片の相対する軸回転接合部を貫通し、接続管の両側の相対管壁に貫通設置される請求項１に記載の油煙排出管自動開閉装置。
【請求項３】
前記２つの活動係止片は、それぞれ軸を設け、２つの軸は、それぞれ接続管の両側の相対管壁に貫通設置される請求項１に記載の油煙排出管自動開閉装置。
【請求項４】
前記定位部材は、中空状の環体に設けられ、上方の２つの水平状の閉鎖状態の活動係止片を係止し、接続管を閉鎖する請求項２又は３に記載の油煙排出管自動開閉装置。
【請求項５】
前記接続管の２つの活動係止片上方に２つの相対し内径方向に伸入する制限部材を設け、２つの活動係止片の上向きの回転角度を制限し、逆向きに翻ることを回避する請求項２又は３に記載の油煙排出管自動開閉装置。
【考案の詳細な説明】
【技術分野】
【０００１】
本考案は、油煙排出機に関し、特に、油煙排出機の油煙排出管自動排気開閉装置に関する。
【背景技術】
【０００２】
一般の油煙排出機内部フードの構造は、通常、１つの排出口及び２つの吸入口を含み、排出口は、フードの上端に位置し、２つの吸入口は、それぞれフードの相対する両側に位置する。フード内部は、モータ及び離心式換気扇を設けることができ、排出口を室外に延伸する油煙排出管に接続し、換気扇がモータの駆動を受けて回転する時、調理で発生する油煙をフードの各吸入口を経由しフード内部に吸入し、更に、フードの排出口から油煙排出管に沿って室外に送出することができる。
【０００３】
しかしながら、上記フードの排出口は、油煙排出管が直接室外に連通しているので、換気扇が回転を停止時、室外の強風、油煙排気、異臭、灰塵又は空気に伴い漂流する異物が油煙排出管を経由してフード内部に進入し、その後、油煙排出機の２つの吸入口を通過し、下向きに室内の厨房に進入し、屋内生活の品質に深刻に影響を及ぼす。従って、上記の問題を如何に解決するかは、関連業者が研究発展を欲する方向となっている。
【先行技術文献】
【特許文献】
【０００４】
【特許文献１】特開２００９−１２１７９６号公報
【考案の概要】
【考案が解決しようとする課題】
【０００５】
本考案の目的は、油煙排出機の油煙排出管に自動排気開閉装置を結合し、室外の強風、油煙排気、異臭、灰塵が油煙排出機及び室内の厨房に侵入することを阻止し、屋内生活の品質及び安全性を確保することにある。
【課題を解決するための手段】
【０００６】
上記の目的を達成する為、本考案の排気開閉装置は、油煙排出機の油煙排出口及び油煙排出管の間に接続する。該排気開閉装置は、上下に相通する２つの端口を有する接続管と、接続管の管壁内縁に固定する定位部材と、その相互の内側辺が相対して活動的に接近し、接続管内部の管径に共同で適合するように設置される２対の半形状の活動係止片と、を含み、２つの活動係止片自身の重量作用により、相対して下向きに回転し、定位部材上に押しかかり、水平状の閉鎖状態を構成し、油煙排出機が油煙排ガスを強制排出する時、その風力が２つの活動係止片を押し動かし、垂直上の開放状態を構成し、油煙排ガスを接続管、油煙排出管を介して外へ排出する。
【０００７】
好適実施例において、２つの活動係止片の内側辺にそれぞれ２つの軸回転接合部を設け、軸は、横向きに２つの活動係止片の相対する軸回転接合部を貫通し、接続管の両側の相対管壁に貫通設置される。
【０００８】
好適実施例において、２つの活動係止片は、それぞれ軸を設け、２つの軸は、それぞれ接続管の両側の相対管壁に貫通設置される。
【０００９】
好適実施例において、定位部材は、中空状の環体に設けられ、上方の２つの水平状の閉鎖状態の活動係止片を係止し、接続管を閉鎖する。
【００１０】
好適実施例において、接続管の２つの活動係止片上方に２つの相対し内径方向に伸入する制限部材を設け、２つの活動係止片の上向きの回転角度を制限し、逆向きに翻ることを回避する。
【考案の効果】
【００１１】
本考案は、油煙排出機の油煙排出管に自動排気開閉装置を結合し、室外の強風、油煙排気、異臭、灰塵が油煙排出機及び室内の厨房に侵入することを阻止し、屋内生活の品質及び安全性を確保する。
【図面の簡単な説明】
【００１２】
【図１】本考案の好適実施例の油煙排出管自動排気開閉装置の使用状態図である。
【図２】図１の排気開閉装置の立体図である。
【図３】図１の排気開閉装置の閉鎖状態図である。
【図４】図３の排気開閉装置の開放状態図である。
【図５】図３の排気開閉装置の活動係止片組の立体図である。
【図６】図３の排気開閉装置の活動係止片組の立体分解図である。
【図７】図４の油煙排出機の使用状態図である。
【図８】本考案のもう１つの好適実施例の油煙排出管自動排気開閉装置の閉鎖状態図である。
【図９】図３の排気開閉装置の活動係止片組の立体図である。
【図１０】本考案の更にもう１つの好適実施例の油煙排出管自動排気開閉装置の立体図である。
【図１１】図１０の排気開閉装置の閉鎖状態図である。
【図１２】図１１の排気開閉装置の開放状態図である。
【考案を実施するための形態】
【００１３】
本考案の上記目的を達成する為に採用する技術手段及びその効果について、実施例を挙げ、図面に合わせて以下に説明する。
【００１４】
先ず、図１、図２、図３を参照し、本考案は、油煙排出機５及び油煙排出管６に対し自動排気開閉装置を設計し、油煙排出機５は、同様に２つのモータ５２，５３及びその制御開閉５４を設け、換気扇（図示せず）を駆動回転させ、油煙排出口５１を経由し外へ油煙排ガスを排出する。図中に示すように、本考案の排気開閉装置は、接続管１と、定位部材２と、２つの活動係止片３から構成され、接続管１を油煙排出機５の油煙排出口５１及び油煙排出管６の間に接続し、接続管１の自動開閉を制御する。
【００１５】
図１〜図５に示す好適実施例において、本考案の排気開閉装置の接続管１は、直立管壁１４に設けられ、上下に相通する２つの端口１１，１２を有する。定位部材２は、接続管１の管壁１３内縁に水平固定する。２対の半形状の活動係止片３１，３２の相互の内側辺３３，３４は、相対して活動的に接近し、接続管１内部の管径及び形状に共同で適合するよう配置される。
【００１６】
油煙排出機５は、通常状態で閉鎖している時、図１、図２、図３に示すように、２つの活動係止片３１，３２自身の重量作用により、下向きに旋転し、定位部材２上に押しかかり、水平状閉鎖状態を構成し、室外の強風、油煙排ガス、異臭、灰塵が内向きに油煙排出機５及び室内に浸入することを阻止し、屋内の生活の品質及び安全衛生を確保する。油煙排出機５が起動制御を受け、油煙排ガスを強制排出する時、その風力は、図４及び図７に示すように、２つの活動係止片３１，３２を押し動かし、相対して上向きに感染させ、垂直状開放状態を構成し、油煙排ガスを接続管１、油煙排出管６を経由して外へ排出させる。
【００１７】
続けて、本考案の排ガス開閉装置の組み合わせ構造を説明し、図２〜図７に示すように、２つの活動係止片３１，３２の内側辺３３，３４は、それぞれ２つの軸回転接合部３５，３６を設け、軸３７により２つの活動係止片３１，３２の相対する軸回転接合部３５，３６を横向きに貫通し、接続管１の両側の相対する管壁１３の軸孔１４柱に貫通設置される。定位部材２は、中空状環体２１を設け、上方の２つの水平状閉鎖状態の活動係止片３１，３２を係止し、接続管１を閉鎖する。好適実施例構造において、接続管１は、２つの活動係止片３１，３２上方に２つの相対する内径向きに伸入する制限部材４を設け、２つの活動係止片３１，３２の上向きの旋転角度を制限し、逆向きに翻り重なり合うことを回避する。
【００１８】
図８、図９に示すもう１つの好適実施例を参照し、排気開閉装置の２つの活動係止片３１ａ，３２ａは、それぞれ軸３７ａを設け、２つの軸３７ａは、それぞれ接続管１の両側の相対する管壁１３にそれぞれ貫通設置される。
【００１９】
図１０、図１１、図１２に示す更にもう１つの実施例において、接続管７及びその管壁７３は、矩形断面として設けることができ、且つ２つの円形端口７１，７２を溶接し、相対する矩形設計の定位部材８を合わせて、２つの活動係止片９１，９２及びその軸９３と組み合わさる。
【００２０】
上記のように、本考案は、油煙排出機の油煙排出管に対し自動排気開閉装置を結合し、室外の強風、油煙排ガス、異臭、灰塵が油煙排出機及び室内の厨房に侵入することを阻止し、屋内生活の品質及び安全衛生を確保することができる。
【符号の説明】
【００２１】
１  接続管
１１  端口
１２  端口
１３  管壁
１４  軸孔
２  定位部材
２１  環体
３１  活動係止片
３２  活動係止片
３３  内側辺
３４  内側辺
３５  軸回転接合部
３６  軸回転接合部
３７  軸
３１ａ  活動係止片
３２ａ  活動係止片
３７ａ  軸
４  制限部材
５  油煙排出機
５１  油煙排出口
５２  モータ
５３  モータ
５４  制御開閉
６  油煙排出管
７  接続管
７１  端口
７２  端口
７３  管壁
８  定位部材
９１  活動係止片
９２  活動係止片
９３  軸
【図１】
0003172069.tif 000003
【図２】
0003172069.tif 000004
【図３】
0003172069.tif 000005
【図４】
0003172069.tif 000006
【図５】
0003172069.tif 000007
【図６】
0003172069.tif 000008
【図７】
0003172069.tif 000009
【図８】
0003172069.tif 000010
【図９】
0003172069.tif 000011
【図１０】
0003172069.tif 000012
【図１１】
0003172069.tif 000013
【図１２】
0003172069.tif 000014